【手続補正書】
【提出日】平成18年6月26日(2006.6.26)
【手続補正１】
【補正対象書類名】特許請求の範囲
【補正対象項目名】全文
【補正方法】変更
【補正の内容】
【特許請求の範囲】
【請求項１】
インターネットを利用した広告システムであって、
要求された概念と、該要求された概念に関連する広告一覧表示中の特定の特徴に基づいて広告一覧表示を除外するために適用されるフィルターとに基づいて要求するシステムから広告一覧表示の要求を受け取る受信手段と、
フィルターされた広告一覧表示を作成するための特定の特徴に基づいて広告一覧表示を除外するために要求された概念に関連する可能性のある広告一覧表示のデータベースから広告一覧表示を分析するためのフィルターアプリケーション手段と、
要求の概念に基づきフィルターされた広告一覧表示から１以上の広告一覧表示を配信する広告一覧表示配信手段と、
を具備するインターネットを利用した広告システム。
【請求項２】
さらに、フィルター識別コードを含むフィルターを保存するためのデータベース手段を具備する、請求項１に記載のインターネットを利用した広告システム。
【請求項３】
さらに、インターネット広告一覧表示を受信するための広告一覧表示受信手段と、
出力可能な広告一覧表示と特定のフィルターが適用されて出力が阻止された広告一覧表示とを保存する広告一覧表示保存手段と、
を具備する、請求項１に記載のインターネットを利用した広告システム。
【請求項４】
前記特定の特徴には少なくとも１つのワードが含まれている、請求項１に記載のインターネットを利用した広告システム。
【請求項５】
前記特定の特徴にはＵＲＬが含まれている、請求項１に記載のインターネットを利用した広告システム。
【請求項６】
前記フィルターアプリケーション手段は、広告一覧表示から少なくとも１つの前記ワードを検索し該ワードを１つも持たない広告一覧表示を除外する、請求項４に記載のインターネットを利用した広告システム。
【請求項７】
前記フィルターアプリケーション手段は、少なくとも１つの前記ワードを含む広告一覧表示を除外する、請求項４に記載のインターネットを利用した広告システム。
【請求項８】
前記フィルターアプリケーション手段は、前記ＵＲＬを含む広告一覧表示を除外する、請求項５に記載のインターネットを利用した広告システム。
【請求項９】
前記フィルターアプリケーション手段は、前記ＵＲＬを１つも含まない広告一覧表示を除外する、請求項５に記載のインターネットを利用した広告システム。
【請求項１０】
さらに、フィルターが広告源に関連する広告一覧表示の配布を除外したとき、該広告一覧表示の広告源を通知する、通知手段を具備する、請求項１に記載のインターネットを利用した広告システム。
【請求項１１】
前記受信手段は、２以上のフィルターを受信し、前記フィルターアプリケーションは、双方のフィルター中の基準に基づいて広告一覧表示を除外する、請求項１に記載のインターネットを利用した広告システム。
【請求項１２】
前記受信手段はまた、マスク値を受信し、前記フィルターアプリケーションは該マスク値により特定される範疇の広告一覧表示を除外する、請求項１に記載のインターネットを利用した広告システム。
【請求項１３】
前記マスク値は、あらかじめ定められた範疇の表題に合致するようにあらかじめ定められている、請求項１に記載のインターネットを利用した広告システム。
【請求項１４】
前記表題は、悪徳広告、アダルト／性的広告、ギャンブル広告、ＦＤＡ未承認薬品広告、及び心理学的広告のうちの１つ以上からなる、請求項１に記載のインターネットを利用した広告システム。
【請求項１５】
インターネットに広告一覧表示を提供する方法であって、
ある概念に関連するインターネットを利用した広告を受信し保存するステップと、
インターネットを利用した配布システムからある概念に関する広告一覧表示要求を受け取るステップと、
前記概念に関連する広告一覧表示に含まれる特定の特徴に基づいてインターネット広告を除外するために適用されるフィルターを受信するステップと、
前記概念に関連するフィルターされた広告一覧表示を生成するために特定の特徴に基づいて広告一覧表示を除外するステップと、
インターネットを利用した配布システムに前記フィルターされた１以上の広告一覧表示を配信するステップと、
を具備する、広告一覧表示を提供する方法。
【請求項１６】
前記広告一覧表示は順位付けて提供され、フィルターの基準に基づいて順位付けられた一覧表示を除外するためにフィルターが適用される、請求項１５に記載の方法。
【請求項１７】
前記概念はキーワードである、請求項１５に記載の方法。
【請求項１８】
前記概念は階層構造の対象を基準としたシステムである、請求項１５に記載の方法。
【請求項１９】
２以上のフィルターを受信するステップと、
双方のフィルターの基準に基づいて広告一覧表示を除外するステップと、
を具備する、請求項１５に記載の方法。
【請求項２０】
マスク値と、
前記マスク値により特定される範疇の広告一覧表示を除外するステップと、
を具備する、請求項１５に記載の方法。
【請求項２１】
前記マスク値は、あらかじめ定められた表題に関連してあらかじめ定められている、請求項１５に記載の方法。
【請求項２２】
前記表題は、悪徳広告、アダルト／性的広告、ギャンブル広告、ＦＤＡ未承認薬品広告、及び心理学的広告のうちの１つ以上からなる、請求項２１に記載の方法。
【請求項２３】
インターネットを利用した広告システムであって、
要求された概念と、該要求された概念に関連する広告一覧表示中の特定の特徴に基づいて広告一覧表示を除外するために適用されるフィルターとに基づいて要求するシステムから広告一覧表示の要求を受け取る受信モジュールと、
フィルターされた広告一覧表示を作成するための特定の特徴に基づいて広告一覧表示を除外するために要求された概念に関連する可能性のある広告一覧表示のデータベースから広告一覧表示を分析するためのフィルターアプリケーションモジュールと、
要求の概念に基づきフィルターされた広告一覧表示から１以上の広告一覧表示を配信する広告一覧表示配信モジュールと、
を具備するインターネットを利用した広告システム。
【請求項２４】
さらに、フィルター識別コードを含むフィルターを保存するためのデータベースモジュールを具備する、請求項２３に記載のインターネットを利用した広告システム。
【請求項２５】
さらに、インターネット広告一覧表示を受信するための広告一覧表示受信モジュールと、
出力可能な広告一覧表示と特定のフィルターが適用されて出力が阻止された広告一覧表示とを保存する広告一覧表示保存モジュールと、
を具備する、請求項２３に記載のインターネットを利用した広告システム。
【請求項２６】
前記特定の特徴には少なくとも１つのワードが含まれている、請求項２３に記載のインターネットを利用した広告システム。
【請求項２７】
前記特定の特徴にはＵＲＬが含まれている、請求項２３に記載のインターネットを利用した広告システム。
【請求項２８】
前記フィルターアプリケーションモジュールは、広告一覧表示から少なくとも１つの前記ワードを検索し該ワードを１つも持たない広告一覧表示を除外する、請求項２６に記載のインターネットを利用した広告システム。
【請求項２９】
前記フィルターアプリケーションモジュールは、少なくとも１つの前記ワードを含む広告一覧表示を除外する、請求項２７に記載のインターネットを利用した広告システム。
【請求項３０】
前記フィルターアプリケーションモジュールは、前記ＵＲＬを含む広告一覧表示を除外する、請求項２７に記載のインターネットを利用した広告システム。
【請求項３１】
前記フィルターアプリケーションモジュールは、前記ＵＲＬを１つも含まない広告一覧表示を除外する、請求項２７に記載のインターネットを利用した広告システム。
【請求項３２】
さらに、フィルターが広告源に関連する広告一覧表示の配布を除外したとき、該広告一覧表示の広告源を通知する、通知モジュールを具備する、請求項２３に記載のインターネットを利用した広告システム。
【請求項３３】
前記受信モジュールは、２以上のフィルターを受信し、前記フィルターアプリケーションは、双方のフィルター中の基準に基づいて広告一覧表示を除外する、請求項２３に記載のインターネットを利用した広告システム。
【請求項３４】
前記受信モジュールはまた、マスク値を受信し、前記フィルターアプリケーションは該マスク値により特定される範疇の広告一覧表示を除外する、請求項２３に記載のインターネットを利用した広告システム。
【請求項３５】
前記マスク値は、あらかじめ定められた範疇の表題に合致するようにあらかじめ定められている、請求項２３に記載のインターネットを利用した広告システム。
【請求項３６】
前記表題は、悪徳広告、アダルト／性的広告、ギャンブル広告、ＦＤＡ未承認薬品広告、及び心理学的広告のうちの１つ以上からなる、請求項３５に記載のインターネットを利用した広告システム。